【手続補正書】
【提出日】令和3年4月1日(2021.4.1)
【手続補正１】
【補正対象書類名】明細書
【補正対象項目名】０００９
【補正方法】変更
【補正の内容】
【０００９】
上記の目的を達成するため、本発明による撮像装置は、被写体を撮影する際、前記被写体に対して発光装置による発光を行って撮影を行う撮像装置であって、第１の解像度の第１の画像と前記第１の解像度よりも解像度が低い第２の解像度の第２の画像を選択的に測光画像として得て、当該測光画像に応じて測光を行って測光結果を得る測光手段と、所定の条件が満たされているか否かを判定する判定手段と、前記被写体を撮影する場合に前記発光装置をメイン発光させるメイン発光量を求める調光処理を行う際、前記判定手段による判定結果に応じて、前記測光手段を制御して前記第１の画像に応じて調光処理を行う第１の制御と前記第２の画像に応じて調光処理を行う第２の制御とを切り替える制御手段と、を有することを特徴とする。
【手続補正２】
【補正対象書類名】特許請求の範囲
【補正対象項目名】全文
【補正方法】変更
【補正の内容】
【特許請求の範囲】
【請求項１】
被写体を撮影する際、前記被写体に対して発光装置による発光を行って撮影を行う撮像装置であって、
第１の解像度の第１の画像と前記第１の解像度よりも解像度が低い第２の解像度の第２の画像を選択的に測光画像として得て、当該測光画像に応じて測光を行って測光結果を得る測光手段と、
所定の条件が満たされているか否かを判定する判定手段と、
前記被写体を撮影する場合に前記発光装置をメイン発光させるメイン発光量を求める調光処理を行う際、前記判定手段による判定結果に応じて、前記測光手段を制御して前記第１の画像に応じて調光処理を行う第１の制御と前記第２の画像に応じて調光処理を行う第２の制御とを切り替える制御手段と、
を有することを特徴とする撮像装置。
【請求項２】
前記測光手段は、複数の画素を有する撮像素子を備え、
前記第１の画像は前記撮像素子の全画素の読み出しを行って得られた画像であり、
前記第２の画像は前記撮像素子の画素について加算処理を行って読み出された画像であることを特徴とする請求項１に記載の撮像装置。
【請求項３】
前記判定手段は、前記測光画像において前記被写体の所定の領域が検知された場合に前記所定の条件が満たされた判定することを特徴とする請求項１又は２に記載の撮像装置。
【請求項４】
前記判定手段は、前記測光画像における輝度が所定の輝度以上である場合に前記予め定められた条件が満たされたと判定することを特徴とする請求項１又は２に記載の撮像装置。
【請求項５】
前記判定手段は、前記測光画像においてフリッカが検知された場合に前記予め定められた条件が満たされたと判定することを特徴とする請求項１又は２に記載の撮像装置。
【請求項６】
前記撮像装置と前記被写体との距離を測定して距離情報を得る測定手段を備え、
前記判定手段は、前記測定手段で得られた距離情報が示す距離が所定の範囲にある場合に前記予め定められた条件が満たされたと判定することを特徴とする請求項１又は２に記載の撮像装置。
【請求項７】
前記判定手段によって前記予め定められた条件が満たされたと判定されると、前記制御手段は前記第２の制御を行うことを特徴とする請求項１乃至６のいずれか１項に記載の撮像装置。
【請求項８】
前記制御手段は、前記第２の制御において、前記発光装置をプリ発光する前に前記測光手段を制御してプリ発光前の第２の画像を得て、当該プリ発光前の第２の画像に応じて測光を行って第１の測光結果を得る処理を行い、前記発光装置のプリ発光中に前記測光手段を制御してプリ発光中の第２の画像を得て、当該プリ発光中の第２の画像に応じて測光を行って第２の測光結果を得る処理を行って、前記第１の測光結果および前記第２の測光結果に基づいて前記発光装置をメイン発光させるメイン発光量を求めることを特徴とする請求項７に記載の撮像装置。
【請求項９】
前記制御手段は、前記第１の測光結果を得る処理と前記プリ発光中の第２の画像を得る処理とを並行して行うことを特徴とする請求項８に記載の撮像装置。
【請求項１０】
前記判定手段によって前記予め定められた条件が満たされていない判定されると、前記制御手段は前記第１の制御を行うことを特徴とする請求項１乃至６のいずれか１項に記載の撮像装置。
【請求項１１】
前記制御手段は、前記第１の制御において、前記発光装置のプリ発光中に前記測光手段を制御してプリ発光中の第１の画像を得て、当該プリ発光中の第１の画像に応じて測光を行って第３の測光結果を得る処理を行い、前記発光装置のプリ発光後に前記測光手段を制御してプリ発光後の第１の画像を得て、当該プリ発光後の第１の画像に応じて測光を行って第４の測光結果を得る処理を行うとともに、前記プリ発光中の第１の画像を用いて所定の領域を検知する処理を行って、前記第３の測光結果および前記第４の測光結果に基づいて前記発光装置をメイン発光させるメイン発光量を求めることを特徴とする請求項１０に記載の撮像装置。
【請求項１２】
前記制御手段は、前記第３の測光結果を得る処理および前記所定の領域を検知する処理と前記プリ発光後の第１の画像を得る処理とを並行して行うことを特徴とする請求項１１に記載の撮像装置。
【請求項１３】
前記制御手段は、１枚目の画像が撮影された後、当該１枚目の画像に続いて２枚目の画像を撮影する際には、前記判定手段によって前記１枚目の画像において前記予め定められた条件が満たされたか否かを判定することを特徴とする請求項３に記載の撮像装置。
【請求項１４】
前記制御手段は、前記２枚目の画像を撮影する際の調光処理において前記第２の制御を行うことを特徴とする請求項１３に記載の撮像装置。
【請求項１５】
前記判定手段によって前記予め定められた条件が満たされたと判定されると、前記制御手段は、前記測光手段を制御して前記発光装置のプリ発光中の第１の画像を得て、当該プリ発光中の第１の画像に応じて測光を行って第１の測光結果を得る処理を行い、さらに、前記発光装置のプリ発光後の第２の画像を得て、当該プリ発光後の第２の画像に応じて測光を行って第２の測光結果を得る処理を行い、前記第１の測光結果および前記第２の測光結果に基づいて前記発光装置をメイン発光させるメイン発光量を求めることを特徴とする請求項３に記載の撮像装置。
【請求項１６】
前記判定手段によって前記予め定められた条件が満たされないと判定された場合には、前記制御手段はプリ発光中の第１の画像を用いて前記所定の領域を検知することを特徴とする請求項１５に記載の撮像装置。
【請求項１７】
被写体を撮影する際、前記被写体に対して発光装置による発光を行って撮影を行う撮像装置であって、
撮像センサと、
前記撮像センサを用いて取得された画像に対して被写体の顔領域を検知する顔検知処理を行う顔検知手段と、
前記顔検知処理により検知された顔領域に関する情報、前記発光装置を発光させずに前記撮像センサを用いて取得された非発光画像、及び前記発光装置をプリ発光させて前記撮像センサを用いて得られたプリ発光画像に基づいて前記発光装置の本発光量を演算する演算手段と、
前記プリ発光画像に対して前記顔検知処理が行われる場合、前記プリ発光画像が取得された後に前記非発光画像が取得されるように制御する制御手段と、
を有することを特徴とする撮像装置。
【請求項１８】
前記制御手段は、 前記プリ発光画像に対して前記顔検知処理が行われない場合、前記非発光画像が取得された後に前記プリ発光画像が取得されるように制御することを特徴とする請求項１７に記載の撮像装置。
【請求項１９】
前記プリ発光画像に対して前記顔検知処理が行われない場合と前記プリ発光画像に対して前記顔検知処理が行われる場合とで、前記非発光画像の解像度を異ならせることを特徴とする請求項１７又は１８に記載の撮像装置。
【請求項２０】
前記プリ発光画像に対する前記顔検知処理は、前記非発光画像の取得処理と並行して行われることを特徴とする請求項１７乃至１９のいずれか１項に記載の撮像装置。
【請求項２１】
前記プリ発光の前に顔領域が検知されていない場合、前記プリ発光画像に対して前記顔検知処理を行うことを特徴とする請求項１７乃至２０のいずれか１項に記載の撮像装置。
【請求項２２】
前記プリ発光の前の測光結果が所定値未満の場合、前記プリ発光画像に対して前記顔検知処理を行うことを特徴とする請求項１７乃至２１のいずれか１項に記載の撮像装置。
【請求項２３】
被写体距離が所定の範囲内の場合、前記プリ発光画像に対して前記顔検知処理を行うことを特徴とする請求項１７乃至２２のいずれか１項に記載の撮像装置。
【請求項２４】
被写体を撮影する際、前記被写体に対して発光装置による発光を行って撮影を行う撮像装置の制御方法であって、
第１の解像度の第１の画像と前記第１の解像度よりも解像度が低い第２の解像度の第２の画像を選択的に測光画像として得て、当該測光画像に応じて測光を行って測光結果を得る測光ステップと、
所定の条件が満たされているか否かを判定する判定ステップと、
前記被写体を撮影する場合に前記発光装置をメイン発光させるメイン発光量を求める調光処理を行う際、前記判定ステップによる判定結果に応じて、前記測光ステップで得られた前記第１の画像に応じて調光処理を行う第１の制御と前記第２の画像に応じて調光処理を行う第２の制御とを切り替える制御ステップと、
を有することを特徴とする制御方法。
【請求項２５】
被写体を撮影する際、前記被写体に対して発光装置による発光を行って撮影を行う撮像装置の制御方法であって、
撮像センサを用いて取得された画像に対して被写体の顔領域を検知する顔検知処理を行う顔検知ステップと、
前記顔検知処理により検知された顔領域に関する情報、前記発光装置を発光させずに前記撮像センサを用いて取得された非発光画像、及び前記発光装置をプリ発光させて前記撮像センサを用いて得られたプリ発光画像に基づいて前記発光装置の本発光量を演算する演算ステップと、
前記プリ発光画像に対して前記顔検知処理が行われる場合、前記プリ発光画像が取得された後に前記非発光画像が取得されるように制御する制御ステップと、
を有することを特徴とする制御方法。
【請求項２６】
被写体を撮影する際、前記被写体に対して発光装置による発光を行って撮影を行う撮像装置で用いられる制御プログラムであって、
前記撮像装置が備えるコンピュータに、
第１の解像度の第１の画像と前記第１の解像度よりも解像度が低い第２の解像度の第２の画像を選択的に測光画像として得て、当該測光画像に応じて測光を行って測光結果を得る測光ステップと、
所定の条件が満たされているか否かを判定する判定ステップと、
前記被写体を撮影する場合に前記発光装置をメイン発光させるメイン発光量を求める調光処理を行う際、前記判定ステップによる判定結果に応じて、前記測光ステップで得られた前記第１の画像に応じて調光処理を行う第１の制御と前記第２の画像に応じて調光処理を行う第２の制御とを切り替える制御ステップと、
を実行させることを特徴とする制御プログラム。
【請求項２７】
被写体を撮影する際、前記被写体に対して発光装置による発光を行って撮影を行う撮像装置で用いられる制御プログラムであって、
前記撮像装置が備えるコンピュータに、
撮像センサを用いて取得された画像に対して被写体の顔領域を検知する顔検知処理を行う顔検知ステップと、
前記顔検知処理により検知された顔領域に関する情報、前記発光装置を発光させずに前記撮像センサを用いて取得された非発光画像、及び前記発光装置をプリ発光させて前記撮像センサを用いて得られたプリ発光画像に基づいて前記発光装置の本発光量を演算する演算ステップと、
前記プリ発光画像に対して前記顔検知処理が行われる場合、前記プリ発光画像が取得された後に前記非発光画像が取得されるように制御する制御ステップと、
を実行させることを特徴とする制御プログラム。